(57)【要約】本発明は、対象皮膚を接地電極として作用させて対象皮膚でプラズマ放電を直接誘導し、ここで発生される放電ストリーマーと高エネルギー化学種およびオゾンと活性酸素種を皮膚に直接作用させて皮膚の治療効果を向上させる皮膚処置装置に関する。
2020535905.tif 000002
【特許請求の範囲】
【請求項１】
一側に開放された先端に皮膚処置部を形成するハウジング；および
前記ハウジングの内部に設置されて前記ハウジングの内面との間に間隔を形成し、前記ハウジングの外部に引き出されて駆動電圧に連結される駆動電極；
を含み、
前記駆動電極は、
一側に前記皮膚処置部に向かい、前記皮膚処置部に対向する対象皮膚と設定された処置距離を形成して前記対象皮膚でプラズマ放電を直接誘導し、発生される放電ストリーマー（ｓｔｒｅａｍｅｒ）およびオゾンと活性酸素種を前記対象皮膚に直接作用させる皮膚処置装置。
【請求項２】
前記駆動電極は、
前記皮膚処置部側で設定された範囲の分、誘電体で被覆される、請求項１に記載の皮膚処置装置。
【請求項３】
前記間隔は、
前記ハウジングの内表面と前記誘電体の外表面との間に設定される、請求項２に記載の皮膚処置装置。
【請求項４】
前記駆動電極は、
前記皮膚処置部の先端から設定された距離の分、前記ハウジングの内側に後退して配置される、請求項１に記載の皮膚処置装置。
【請求項５】
前記ハウジングは、
前記皮膚処置部の反対側で前記間隔に連結される排出口を備え、
前記排出口は、
前記対象皮膚を直接治療したオゾンと活性酸素種および前記対象皮膚で生成された副産物を回収する、請求項１に記載の皮膚処置装置。
【請求項６】
前記対象皮膚を治療したオゾンと活性酸素種および生成された副産物を分解除去するように前記排出口に順次に連結されるヒーターと活性炭とをさらに含む、請求項５に記載の皮膚処置装置。
【発明の詳細な説明】
【技術分野】
【０００１】
本記載は、皮膚処置装置に関し、より詳細には、プラズマ放電が皮膚で発生されて放電ストリーマーと高エネルギー化学種が皮膚に直接作用して皮膚を直接処置する皮膚処置装置に関する。
【背景技術】
【０００２】
皮膚疾患の治療には殺菌を通じて皮膚に繁殖する有害微生物を除去する方法がある。つまり、殺菌方法は皮膚に発生するニキビなどの多様な皮膚疾患を治療している。
【０００３】
オゾンは強い殺菌効果を有しており、皮膚疾患の殺菌治療に用いられ得る。しかし、オゾンは人体に吸入時、肺損傷などの問題を起こすため、有害物質として指定されている。
【０００４】
低温プラズマは、高い電子エネルギーを発生させるため、酸素分子を分解してオゾンを生成する。したがって、低温プラズマでオゾンを生成する作用は皮膚疾患治療に適用され得る。
【０００５】
プラズマを皮膚治療に適用しようとする多様な研究と試みがあった。オゾンなどの活性酸素種および弱い紫外線などの効果によって、プラズマは殺菌および治療効果を有することが証明された。
【０００６】
一例を挙げると、皮膚処置装置は、ハウジング内部に駆動電極と接地電極を備え、二つの電極間の放電空間で生産されるオゾンおよび活性酸素種を皮膚に作用させて皮膚を処置する。
【０００７】
このような皮膚処置装置は、駆動電極の前方に接地電極を配置し、プラズマ放電を誘導するために放電気体を供給しなければならないため、構造的に複雑であるという短所を有する。そして、接地電極により放電電流が皮膚に連結されずに遮断されるため、皮膚の治療効果が低下する虞がある。
【発明の概要】
【発明が解決しようとする課題】
【０００８】
本発明の一側面の目的は、対象皮膚を接地電極として作用させて対象皮膚でプラズマ放電を直接誘導し、ここで発生される放電ストリーマー（ｓｔｒｅａｍｅｒ）と高エネルギー化学種およびオゾンと活性酸素種を皮膚に直接作用させて皮膚の治療効果を向上させる皮膚処置装置を提供することにある。
【０００９】
本発明の一側面の目的は、放電ストリーマーと高エネルギー化学種およびオゾンと活性酸素種で皮膚を直接治療した後、オゾンと活性酸素種および皮膚で生成された副産物を安全に回収する皮膚処置装置を提供することにある。
【課題を解決するための手段】
【００１０】
本発明の一実施例による皮膚処置装置は、一側に開放された先端に皮膚処置部を形成するハウジング、および前記ハウジングの内部に設置されて前記ハウジングの内面との間に間隔を形成し、前記ハウジングの外部に引き出されて駆動電圧に連結される駆動電極を含み、前記駆動電極は、一側に前記皮膚処置部に向かい、前記皮膚処置部に対向する対象皮膚と設定された処置距離を形成して前記対象皮膚でプラズマ放電を直接誘導し、発生される放電ストリーマー（ｓｔｒｅａｍｅｒ）およびオゾンと活性酸素種を前記対象皮膚に直接作用させる。
【００１１】
本発明の一実施例による前記駆動電極は、前記皮膚処置部側で設定された範囲の分、誘電体で被覆されてもよい。
【００１２】
本発明の一実施例による前記間隔は、前記ハウジングの内表面と前記誘電体の外表面との間に設定されてもよい。
【００１３】
本発明の一実施例による前記駆動電極は、前記皮膚処置部の先端から設定された距離の分、前記ハウジングの内側に後退して配置されてもよい。
【００１４】
本発明の一実施例による前記ハウジングは、前記皮膚処置部の反対側で前記間隔に連結される排出口を備え、前記排出口は、前記対象皮膚を直接治療したオゾンと活性酸素種および前記対象皮膚で生成された副産物を回収することができる。
【００１５】
本発明の一実施例による皮膚処置装置は、前記対象皮膚を治療したオゾンと活性酸素種および生成された副産物を分解除去するように前記排出口に順次に連結されるヒーターと活性炭とをさらに含む。
【発明の効果】
【００１６】
本発明の一実施例によれば、ハウジングの内部に駆動電極を設置し、駆動電極と対象皮膚との間に処置距離を形成して皮膚を接地電極として駆動電極に駆動電圧を印加するため、対象皮膚でプラズマ放電を直接誘導し、これによって発生される放電ストリーマー（ｓｔｒｅａｍｅｒ）と高エネルギー化学種およびオゾンと活性酸素種を皮膚に直接作用させて皮膚を治療することができる。
【００１７】
本発明の一実施例によれば、ハウジングと駆動電極との間に間隔を形成し、間隔を排出口に連結するため、放電ストリーマーと高エネルギー化学種およびオゾンと活性酸素種を皮膚に作用させて治療した後、オゾンと活性酸素種および皮膚で生成される副産物を間隔および排出口で安全に回収することができる。
【図面の簡単な説明】
【００１８】
【図１】本発明の一実施例による皮膚処置装置の分解斜視図である。
【図２】図１のＩＩ−ＩＩ線に沿って切断した断面図である。
【図３】図１の皮膚処置装置で対象皮膚を治療する作動状態図である。
【図４】図１にオゾン処理部をさらに備えた皮膚処置装置の構成図である。
【発明を実施するための形態】
【００１９】
以下、添付した図面を参照して本発明の実施例について本発明が属する技術分野における通常の知識を有する者が容易に実施することができるように詳細に説明する。しかし、本発明は、多様な異なる形態に実現することができ、ここで説明する実施例に限定されない。図面において、本発明を明確に説明するために、説明上不要な部分は省略し、明細書全体にわたって同一または類似の構成要素については同一の参照符号を付した。
【００２０】
図１は本発明の一実施例による皮膚処置装置の分解斜視図であり、図２は図１のＩＩ−ＩＩ線に沿って切断した断面図である。図１および図２を参照すると、一実施例の皮膚処置装置は、ハウジング１０と駆動電極２０とを含む。
【００２１】
つまり、皮膚処置装置は、対象皮膚Ｔ（図３参照）を接地電極として作用させて対象皮膚でプラズマ放電を直接誘導し、ここで発生される放電ストリーマー（ｓｔｒｅａｍｅｒ）と高エネルギー化学種およびオゾンと活性酸素種を対象皮膚に直接作用させて皮膚を治療するように構成される。
【００２２】
皮膚処置装置において、プラズマ放電時、放電電流は被処置される対象皮膚に直接流れるようになる。したがって、放電誘導のための別途の放電気体が要求されない。これは従来の技術で放電電流が皮膚に流れないこととは異なり、放電誘導のために別途の放電気体を必要とすることとは異なる点である。
【００２３】
本発明の一実施例によれば、放電電流がそのまま対象皮膚Ｔで発生するようになり、放電ストリーマーおよび高エネルギー化学種が対象皮膚Ｔを直接処置するようになる。放電ストリーマーが対象皮膚Ｔを直接処置するため、放電過程で発生する高エネルギー化学種またはオゾンおよび活性酸素種が対象皮膚Ｔに直接衝突する。
【００２４】
したがって、高エネルギー化学種は、微細な生化学的変化および熱的刺激を対象皮膚Ｔに直接誘導することができる。これは従来の技術でプラズマ放電により形成されたオゾンが皮膚に到達してオゾンによる局部的な殺菌作用を主に誘導して皮膚治療を誘導したこととは異なる点である。
【００２５】
また、皮膚処置装置は、プラズマ放電でオゾンおよび活性酸素種を発生させて皮膚を治療し、以降、治療に用いられたオゾンと活性酸素種および対象皮膚Ｔで発生される副産物を安全に回収するように構成される。
【００２６】
具体的に、前記ハウジング１０は、皮膚処置装置の外観を形成し、皮膚処置時、使用者の取り扱いを可能にする。前記ハウジング１０は、一側に開放された先端に皮膚処置部１１を形成することができる。
【００２７】
前記ハウジング１０は、皮膚処置部１１で対象皮膚Ｔに部分的に接触したり離隔して対象皮膚Ｔを治療時、対象皮膚Ｔおよび対象皮膚Ｔとの間でプラズマ放電を可能にする。
【００２８】
例えば、前記ハウジング１０は、電気的な絶縁材で形成される円筒部１０１、および円筒部１０１がしまりばめで結合されるホルダー部１０２を含むことができる。前記ホルダー部１０２は、円筒部１０１の一側を閉鎖することができる。前記駆動電極２０はホルダー部１０２に形成され、皮膚処置部１１は円筒部１０１に形成されてもよい。
【００２９】
前記駆動電極２０は、ハウジング１０の内部に離隔設置されてハウジング１０の内面との間に間隔Ｇを形成し、ハウジング１０の外部に引き出されて駆動電圧ＨＶを印加するように連結されてもよい。
【００３０】
例えば、前記駆動電極２０は、一側に皮膚処置部１１に向かい、皮膚処置部１１と対向する治療対象である対象皮膚Ｔと設定された処置距離Ｌを形成することができる。前記対象皮膚Ｔが接地電極として作用する状態で駆動電極２０に駆動電圧ＨＶが印加され得る。
【００３１】
この時、前記対象皮膚Ｔおよび対象皮膚Ｔと駆動電極２０との間に設定される処置距離Ｌでプラズマ放電が直接誘導され、これによって、発生される放電ストリーマーＳ（図３参照）と高エネルギー化学種および活性酸素種は対象皮膚Ｔに直接作用されて処置作用することができる。
【００３２】
また、プラズマ放電でオゾンと活性酸素種が発生され、これらは前記対象皮膚Ｔに直接作用して、対象皮膚Ｔの局部的な殺菌作用をさらに誘導して皮膚治療をさらに誘導することができる。
【００３３】
前記駆動電極２０は、皮膚処置部１１側で設定された範囲の分、誘電体２１で被覆されてもよい。したがって、前記駆動電極２０とハウジング１０との間に設定される間隔Ｇは、実質的にハウジング１０の内表面と誘電体２１の外表面との間に設定されてもよい。
【００３４】
前記誘電体２１は、過度な放電ストリーマーＳの発生および駆動電極２０の損傷を防止することができる。また前記誘電体２１は、駆動電極２０に駆動電圧ＨＶが印加される場合、対象皮膚Ｔとの間に設定される処置距離Ｌで誘電体障壁放電を発生させる。
【００３５】
したがって、前記駆動電極２０は、皮膚処置部１１の先端から設定された距離Ｌ１の分、ハウジング１０の内側に後退して配置されてもよい。
【００３６】
つまり、前記皮膚処置部１１を対象皮膚Ｔに接触して治療する場合、駆動電極２０と皮膚処置部１１先端との間の距離Ｌ１は、処置距離Ｌと同一であってもよい。
【００３７】
この場合、前記処置距離Ｌが一定に維持されるため、プラズマ放電が安定的に誘導され得る。したがって、放電ストリーマーおよび高エネルギー化学種による対象皮膚Ｔの処置が安定的に行われ得る。
【００３８】
前記ハウジング１０は、皮膚処置部１１の反対側に備えられて間隔Ｇに連結される排出口１２を含むことができる。
【００３９】
前記排出口１２および間隔Ｇは、対象皮膚Ｔを直接治療したオゾンと活性酸素種および対象皮膚Ｔで生成された副産物を回収できるようにする。
【００４０】
前記皮膚処置部１１を通じて対象皮膚Ｔを治療作用したオゾンと活性酸素種および皮膚で生成された副産物は、間隔Ｇと排出口１２を経由して回収されてもよい。
【００４１】
つまり、対象皮膚Ｔを治療したオゾンと活性酸素種は、対象皮膚Ｔ側に漏洩されず、対象皮膚Ｔで生成された副産物は、対象皮膚Ｔ側に積載されたり対象皮膚Ｔ側に漏洩されない。したがって、皮膚処置装置は対象皮膚Ｔを持続的に処置できるようになる。
【００４２】
図３は図１の皮膚処置装置で対象皮膚を治療する作動状態図である。
【００４３】
図１乃至図３を共に参照すると、前記駆動電極２０は、駆動電圧ＨＶに連結されてもよい。前記駆動電圧ＨＶの印加により駆動電極２０と接地電極として作用する対象皮膚Ｔとの間に処置距離Ｌが設定され得る。
【００４４】
したがって、対象皮膚Ｔおよび処置距離Ｌでプラズマ放電が発生して放電ストリーマーＳが処置距離Ｌに形成され得る。前記放電ストリーマーＳによって、放電電流が対象皮膚Ｔに流れることができるようになる。
【００４５】
プラズマ放電で処置距離Ｌに生成される放電ストリーマーＳが対象皮膚Ｔを直接処置して、放電過程で発生する高エネルギー化学種が対象皮膚Ｔに直接衝突することができる。これによって、生化学的変化および熱的刺激が誘導されて対象皮膚Ｔをさらに処置できるようになる。
【００４６】
これと同時に、プラズマ放電で生成されるオゾンと活性酸素種は、対象皮膚Ｔに到達して局部的に殺菌および治療作用をした後、間隔Ｇおよび排出口１２を通じて回収されてもよい。
【００４７】
したがって、放電ストリーマーＳおよび高エネルギー化学種が対象皮膚Ｔに直接衝突して、対象皮膚Ｔを直接処置し、オゾンと活性酸素種で対象皮膚Ｔを局部的に治療してオゾンおよび活性酸素種および副産物が対象皮膚Ｔに漏洩することが遮断され得る。
【００４８】
図４は図１にオゾン処理部をさらに備えた皮膚処置装置の構成図である。
【００４９】
図４を参照すると、前記排出口１２には、オゾン処理部を形成するヒーター５１と活性炭５２とが順次にさらに連結されてもよい。
【００５０】
前記対象皮膚Ｔの治療のために、本発明の一実施例による皮膚処置装置は、対象皮膚Ｔに接触する。この時、前記皮膚処置部１１と対象皮膚Ｔは部分的に接触するため、外部空気が流入される間隔を形成するようになる。
【００５１】
前記対象皮膚Ｔが電気的に接地された状態で駆動電極２０に駆動電圧ＨＶを印加すると、対象皮膚Ｔでプラズマ放電が発生し、これによって、放電ストリーマーＳおよび高エネルギー化学種が対象皮膚Ｔを直接処置できるようになる。
【００５２】
そして、この時に発生されるオゾンと活性酸素種および副産物は、前記間隔Ｇと排出口１２を通じて排出される。前記排出口１２に連結されるヒーター５１および活性炭５２は、皮膚を治療し、排出口１２を通じて排出されるオゾンと活性酸素種および副産物を加熱して分解除去することができる。
【００５３】
前記皮膚処置部１１を通じて捕集されるオゾンと活性酸素種および副産物は、間隔Ｇと排出口１２を通じて、ヒーター５１を経由しながら２００℃以上の高温条件で加熱され、活性炭５２と接触して分解除去され得る。
【００５４】
以上で本発明の好ましい実施例について説明したが、本発明はこれらに限定されるのではなく、特許請求の範囲と発明の説明および添付した図面の範囲内で多様に変形して実施することが可能であり、これも本発明の範囲に属することは当然である。
【符号の説明】
【００５５】
１０：ハウジング
１１：皮膚処置部
２０：駆動電極
２１：誘電体
５１：ヒーター
５２：活性炭
１０１：円筒部
１０２：ホルダー部
Ｇ：間隔
ＨＶ：駆動電圧
Ｌ：処置距離
Ｌ１：距離
【図１】
2020535905.tif 000003
【図２】
2020535905.tif 000004
【図３】
2020535905.tif 000005
【図４】
2020535905.tif 000006
【国際調査報告】
2020535905.tif 000007
2020535905.tif 000008
2020535905.tif 000009
2020535905.tif 000010